(57)【要約】【課題】ねじ回し具無しで取り外しができ利便性に優れた固定用クリップを提供することを課題とする。【解決手段】雌ねじを備えた支持部材に取付部材を着脱可能に装着する際に用いられる固定用クリップ１０であって、頭部フランジ１１と、頭部フランジ１１の下面から延出する軸部と、軸部の外周面に外方に突出し、上下方向に列を成すように形成された複数の雄ねじ状リブ１３と、を具備し、複数の雄ねじ状リブ１３が雌ねじに圧入されることにより弾性変形して雌ねじに係合し支持部材に固定状態とされる固定用クリップ１０において、頭部フランジ１１が、平面視略十字を成すリブ２０を備える構成とし、十字の部分を、親指、人差し指、中指等の指で摘まみやすくし、且つ、力を入れて回しやすくする。その結果、ねじ回し具無しで固定用クリップ１０を取り外せるようになる。【選択図】図２
2019060438.tif 000002
【特許請求の範囲】
【請求項１】
雌ねじを備えた支持部材（１，２）に取付部材（６）を着脱可能に装着する際に用いられる固定用クリップ（１０）であって、頭部フランジ（１１）と、前記頭部フランジ（１１）の下面から延出する軸部（１２）と、前記軸部（１２）の外周面に外方に突出し、上下方向に列を成すように形成された複数の雄ねじ状リブ（１３）と、を具備し、前記複数の雄ねじ状リブ（１３）が前記雌ねじに圧入されることにより弾性変形して前記雌ねじに係合し前記支持部材（１，２）に固定状態とされる固定用クリップ（１０）において、
前記頭部フランジ（１１）は、平面視略十字を成すリブ（２０）を備えていることを特徴とする固定用クリップ（１０）。
【請求項２】
前記リブ（２０）は、前記頭部フランジ（１１）の中央を通り一方向に延在する第１リブ（１４）と、前記第１リブ（１４）の中央の両側に連設され前記第１リブ（１４）に直交するように延びる第２リブ（１５）と、を備えることを特徴とする請求項１記載の固定用クリップ（１０）。
【請求項３】
前記第１リブ（１４）と前記第２リブ（１５）の直交する交差部は同じ高さを有していることを特徴とする請求項２記載の固定用クリップ（１０）。
【請求項４】
前記雄ねじ状リブ（１３）は、基端から先端に向かって上方へ傾斜するように突出していることを特徴とする請求項２又は３記載の固定用クリップ（１０）。
【請求項５】
前記第１リブ（１４）の中央には、当該第１リブ（１４）の延在方向に沿って延びると共に両端が開放されたねじ回し用の溝（１６）が凹設され、
軸線方向視において、前記ねじ回し用の溝（１６）の延在方向は、前記雄ねじ状リブ（１３）の突出方向と直交することを特徴とする請求項４記載の固定用クリップ（１０）。
【発明の詳細な説明】
【技術分野】
【０００１】
本発明は、固定用クリップに関する。
【背景技術】
【０００２】
螺旋状の雌ねじを備えた支持部材に、取付部材を着脱可能に装着する際に、固定用クリップが用いられる場合がある。この固定用クリップとしては、以下の特許文献１に記載のものが知られている。この固定用クリップは、合成樹脂より成り、頭部フランジと、頭部フランジの下面から延出する軸部と、軸部の外周面に外方に突出し、上下方向に列を成すように形成された複数の雄ねじ状リブと、を備えている。雄ねじ状リブは、軸線方向視概略扇形の板状に形成され、２列が軸部を間に挟み、螺旋状を成す雌ねじに対応するように配設されている。
【０００３】
そして、例えば背負式作業機において取付部材となる背当て部を、上記固定用クリップを用いて、背負式作業機の支持部材となる背負い枠に取り付ける場合には、固定用クリップの軸部を背負い枠の雌ねじに押し込み、複数の雄ねじ状リブを弾性変形させて、対応位置の雌ねじに係合させ固定するようになっている。
【０００４】
一方、固定用クリップを取り外す場合には、頭部フランジに凹設され直線状に延びる係合溝に、例えばマイナスドライバや硬貨等を差し込み、回転させることによって、雄ねじ状リブが雌ねじ溝に沿って移動し、取り外すことができるようになっている。なお、マイナスドライバや硬貨等を、以下単にねじ回し具と呼ぶ。
【先行技術文献】
【特許文献】
【０００５】
【特許文献１】特開２００６−６４０２２号公報
【発明の概要】
【発明が解決しようとする課題】
【０００６】
このように、上記固定用クリップにあっては、取り外しに際してねじ回し具が必ず必要であり、面倒であった。
【０００７】
本発明は、このような課題を解決するために成されたものであり、ねじ回し具無しで取り外しができ利便性に優れた固定用クリップを提供することを目的とする。
【課題を解決するための手段】
【０００８】
本発明による固定用クリップは、雌ねじを備えた支持部材（１，２）に取付部材（６）を着脱可能に装着する際に用いられる固定用クリップ（１０）であって、頭部フランジ（１１）と、頭部フランジ（１１）の下面から延出する軸部（１２）と、軸部（１２）の外周面に外方に突出し、上下方向に列を成すように形成された複数の雄ねじ状リブ（１３）と、を具備し、複数の雄ねじ状リブ（１３）が雌ねじに圧入されることにより弾性変形して雌ねじに係合し支持部材（１，２）に固定状態とされる固定用クリップ（１０）において、頭部フランジ（１１）は、平面視略十字を成すリブ（２０）を備えていることを特徴としている。
【０００９】
このような固定用クリップ（１０）によれば、頭部フランジ（１１）が、平面視略十字を成すリブ（２０）を有する構成のため、十字の部分を、親指、人差し指、中指等の指で摘まみやすく、且つ、力を入れて回しやすい。従って、ねじ回し具無しで固定用クリップ（１０）を取り外すことができる。
【００１０】
ここで、上記作用を好適に奏する構成としては、具体的には、リブ（２０）は、頭部フランジ（１１）の中央を通り一方向に延在する第１リブ（１４）と、第１リブ（１４）の中央の両側に連設され第１リブ（１４）に直交するように延びる第２リブ（１５）と、を備える構成が挙げられ、これらの第１リブ（１４）及び第２リブ（１５）により平面視略十字形を容易に形成できる。
【００１１】
また、第１リブ（１４）と第２リブ（１５）の直交する交差部は同じ高さを有していることが好ましい。このような構成を採用した場合、例えば、背負式作業機（１００）の取付部材である背当て部（６）の取り付けに、固定用クリップ（１０）が用いられ、背当て部（６）の損傷や摩耗により作業者の背中に固定用クリップ（１０）が当たった場合でも、十字を成し同じ高さを有する交差部により、当接面圧がほぼ均等に分散されて下がり、不快感を与えることを低減できる。
【００１２】
また、雄ねじ状リブ（１３）は、基端から先端に向かって上方へ傾斜するように突出しているのが好ましい。このような構成を採用した場合、雌ねじに圧入する際には、雄ねじ状リブ（１３）が弾性変形し基端から閉じていくため入れやすく、一方、雄ねじ状リブ（１３）は、圧入後、弾性変形により外方へ開き先端が雌ねじに係合し装着されるため、装着後に引っ張られると、雄ねじ状リブ（１３）が雌ねじに食い込み、引っ張り方向へ抜け出ないようになっている。
【００１３】
また、第１リブ（１４）の中央には、当該第１リブ（１４）の延在方向に沿って延びると共に両端が開放されたねじ回し用の溝（１６）が凹設され、軸線方向視において、ねじ回し用の溝（１６）の延在方向は、雄ねじ状リブ（１３）の突出方向と直交する構成が好ましい。このような構成を採用した場合、ねじ回し具を用いねじ回し用の溝（１６）に入れて回すことによっても、固定用クリップ（１０）を取り外すことができる。また、固定用クリップ（１０）を成形するための一対の成形型であって、固定用クリップ（１０）の外周面に対応した内周面を有する成形型を、互いに離れる方向へ離型する際に、軸線方向視（上下方向視）において、ねじ回し用の溝（１６）の延在方向が、雄ねじ状リブ（１３）の突出方向と直交しているため、ねじ回し用の溝（１６）の延在方向に沿って一対の型を型抜きすると、上下方向に傾斜する雄ねじ状リブ（１３）は無理抜きとはならず、雄ねじ状リブ（１３）及びねじ回し用の溝（１６）を容易に成形できる。
【発明の効果】
【００１４】
このように本発明によれば、ねじ回し具無しで取り外しができ利便性に優れた固定用クリップを提供できる。
【図面の簡単な説明】
【００１５】
【図１】本発明の実施形態に係る固定用クリップが適用された背負式作業機を前方から見た斜視図である。
【図２】固定用クリップを上方から見た斜視図である。
【図３】固定用クリップを下方から見た斜視図である。
【図４】固定用クリップの平面図である。
【図５】図４の正面図である。
【図６】図５の左側面図である。
【発明を実施するための形態】
【００１６】
以下、本発明に係る固定用クリップの好適な実施形態について、添付図面を参照しながら説明する。なお、以下の説明において、図１の背負式作業機において、上下、前後、左右等の方向を表す語は、背負式作業機を背負った作業者を基準とした方向を表すものとし、作業者にとり前方を「前」と定める。
【００１７】
図１は、本発明の実施形態に係る固定用クリップが適用された背負式作業機を前方から見た斜視図、図２は、固定用クリップを上方から見た斜視図、図３は、固定用クリップを下方から見た斜視図、図４は、固定用クリップの平面図、図５は、図４の正面図、図６は、図５の左側面図である。以下、本実施形態にあっては、背負式作業機を、作業者に背負われた状態で使用され、液体状の薬剤（薬液）を噴霧するための背負式動力噴霧機として説明する。
【００１８】
図１に示すように、背負式動力噴霧機１００は、液体ポンプやエンジン等を搭載する背負い枠１と、背負い枠１の上部に配置され、噴霧すべき薬剤を貯留した液体タンク２と、当該動力噴霧機１００を作業者が背負うための左右一対の背負バンド３（図１にはその一方のみを示す）と、を備えている。
【００１９】
液体ポンプやエンジン等を駆動しての作業にあたっては、作業者は背負バンド３を用いて動力噴霧機１００を背負い、ここでは取り外されている噴霧ホースを介して噴霧ノズルを手で操作し所望位置に薬剤の噴霧を行う。背負い枠１の下部の左右各側には、背負バンド３の下端部が取り付けられる下部バンド取付部４がそれぞれ設けられている。また、液体タンク２の作業者側となる面の上部には、右側寄りと左側寄りの位置にそれぞれ、背負バンド３の上端部を取り付けるための上部バンド取付部５が設けられている。そして、背負バンド３の上部が上部バンド取付部５に連結されると共に、背負バンド３の下部が下部バンド取付部４に連結されることにより、背負い枠１及び液体タンク２側との間に、作業者の腕を通すための間隙が形成される。
【００２０】
また、背負式動力噴霧機１００は、作業者の背中に硬質の背負い枠１や液体タンク２の背当て面が接しないように、背負い枠１の背当て面と液体タンク２の背当て面を被覆する取付部材としての背当て部６を備える。背当て部６は、クッション材より成り、背中に当たる部分に厚みを有する上部背当て部７及び下部背当て部８を備える。
【００２１】
背当て部６のうち、上部背当て部７の上部中央で上方に突出する突出上部９の左右、上部背当て部７と下部背当て部８との間、下部背当て部８より下部は薄肉とされ、これら突出上部９の左右、上部背当て部７と下部背当て部８との間の左右、下部背当て部８より下部の左右方向に離間する薄肉位置には、背当て部６を、背負い枠１の背当て面と液体タンク２の背当て面に固定するための固定用クリップ（ファスナとも呼ぶ）１０がそれぞれ設けられている。
【００２２】
固定用クリップ１０は、弾性変形可能な樹脂より成り、背負い枠１の背当て面と液体タンク２の背当て面に形成された螺旋状の雌ねじに着脱可能に圧入固定されるものである。これら背負い枠１及び液体タンク２が、取付部材としての背当て部６を取り付けるための支持部材となる。
【００２３】
固定用クリップ１０は、図２〜図６に示すように、頭部フランジ１１と、頭部フランジ１１の下面から延出する軸部１２と、軸部１２の外周面に外方に突出し、上下方向に列を成すように形成された複数の雄ねじ状リブ１３と、を備える。
【００２４】
頭部フランジ１１は、円板状を呈し、頭部フランジ１１の上面には、中央（軸心）を通り一方向に延在する第１リブ１４と、第１リブ１４の中央の両側に連設され第１リブ１４に直交するように延びる第２リブ１５と、を備える。
【００２５】
第１リブ１４は、延在方向中央が最も上方へ突出する側面視略弓形形状を呈する（図５参照）。この第１リブ１４には、当該第１リブ１４の延在方向に沿って延びると共に両端及び上方が開放されたねじ回し用の溝１６が凹設される。このねじ回し用の溝１６は、その軸線方向両端が低く、両端より内側が、両端より高さが高く平坦状に構成される。そして、ねじ回し用の溝１６の底面及びその下部が、第１リブ１４の底部を構成している。
【００２６】
第２リブ１５は、第１リブの中央の両側に連設されて第１リブ１４側が最も上方へ突出すると共に、第１リブ１４側とは反対側の端部が頭部フランジ１１の端部上面に連設され、側面視略直角三角形状を呈している（図２及び図６参照）。
【００２７】
そして、ねじ回し用の溝１６を含む第１リブ１４及び第２リブ１５により、平面視略十字を成すリブ２０が構成されている。換言すれば、平面視円形の頭部フランジ１１において十字状のリブ２０より外側の四隅Ｒ（図４参照）は、凹んだ状態とされている。
【００２８】
また、第１リブ１４と第２リブ１５の直交する交差部は同じ高さを有している。この交差部の高さは、一般的な体格の人が手で摘まむのが可能な高さとされており、厚肉の背当て部７，８の厚み最低値より低く、作業者の体に当たらないようになっている。
【００２９】
このような頭部フランジ１１より下方に配置されている雄ねじ状リブ１３は、軸線方向視（平面視）概略扇形の板状に形成され、２列が軸部を間に挟むように配設される。雄ねじ状リブ１３は、軸部１２に基端が連設され、基端から先端に向かって上方へ傾斜するように突出する形状を呈している。すなわち、一方の列の雄ねじ状リブ１３（例えば図６の左側の雄ねじ状リブ１３）は、その先端が左上方を向き、他方の列の雄ねじ状リブ１３（例えば図６の右側の雄ねじ状リブ１３）は、その先端が右上方を向いている。
【００３０】
各列の雄ねじ状リブ１３のピッチは、雌ねじのピッチと同じ間隔とされ、一方の列の雄ねじ状リブ１３（例えば図６の左側の雄ねじ状リブ１３）は、他方の列の雄ねじ状リブ１３（例えば図６の右側の雄ねじ状リブ１３）に対し、雌ねじのピッチの１／２、軸線方向に順次ずれて交互に配設されている。すなわち、２列の雄ねじ状リブ１３は、雌ねじのねじ溝に沿うように配置されている。
【００３１】
このような構成を有する固定用クリップ１０を用いて、図１に示す背当て部６を背負い枠１側、液体タンク２側の雌ねじに固定する場合には、固定用クリップ１０の軸部１２を雌ねじに押し込み、複数の雄ねじ状リブ１３を弾性変形させていく。このとき、雄ねじ状リブ１３が基端から閉じていくため入れやすくなっている。
【００３２】
そして、圧入が完了したら、雄ねじ状リブ１３は弾性変形により外方へ開き先端が雌ねじ溝に進入して係合し装着される。この状態では、雄ねじ状リブ１３は引っ張られても、雄ねじ状リブ１３が外側に開いて雌ねじに食い込むため、引っ張り方向へ抜け出ることはない。
【００３３】
一方、固定用クリップ１０を取り外す場合には、頭部フランジ１１が、平面視略十字を成すリブ２０を有する構成のため、十字の部分を、親指、人差し指、中指等の指で摘まみやすく且つ力を入れて回しやすい。従って、ねじ回し具無しで固定用クリップ１０を取り外すことができ、利便性に優れている。
【００３４】
また、リブ２０は、頭部フランジ１１の中央を通り一方向に延在する第１リブ１４と、第１リブ１４の中央の両側に連設され第１リブ１４に直交するように延びる第２リブ１５と、を備える構成のため、これらの第１、第２リブ１４，１５により平面視略十字形を容易に形成できる。
【００３５】
また、第１リブ１４と第２リブ１５の直交する交差部は同じ高さを有しているため（図５参照）、背当て部６の損傷や摩耗により作業者の背中に固定用クリップ１０が当たった場合でも、十字を成し同じ高さを有する交差部により、当接面圧がほぼ均等に分散されて下がり、不快感を与えることを低減できる。
【００３６】
また、雄ねじ状リブ１３は、基端から先端に向かって上方へ傾斜するように突出しているため、雌ねじに圧入する際には、雄ねじ状リブ１３が弾性変形し基端から閉じていき入れやすく、一方、雄ねじ状リブ１３は、圧入後、弾性変形により外方へ開き先端が雌ねじに係合し装着されるため、装着後に引っ張られても、雄ねじ状リブ１３が雌ねじに食い込み、引っ張り方向へ抜け出ないようになっている。
【００３７】
また、第１リブ１４の中央には、当該第１リブ１４の延在方向に沿って延びると共に両端が開放されたねじ回し用の溝１６が凹設されているため、ねじ回し具を用いねじ回し用の溝１６に入れて回すことによっても、固定用クリップ１０を取り外すことができる。また、軸線方向視において、ねじ回し用の溝１６の延在方向は、雄ねじ状リブ１３の突出方向と直交しているため、以下の作用・効果を奏する。すなわち、固定用クリップ１０を成形するための一対の成形型であって、固定用クリップ１０の外周面に対応した内周面を有する成形型を、互いに離れる方向へ離型する際に、軸線方向視（上下方向視）において、ねじ回し用の溝１６の延在方向が、雄ねじ状リブ１３の突出方向と直交しているため（図６参照）、図５に矢印Ｐで示すように、ねじ回し用の溝１６の延在方向に沿って一対の型を型抜きすると、上下方向に傾斜する雄ねじ状リブ１３は無理抜きとはならず、雄ねじ状リブ１３及びねじ回し用の溝１６を容易に成形できる。
【００３８】
以上、本発明をその実施形態に基づき具体的に説明したが、本発明は上記実施形態に限定されるものではなく、例えば、上記実施形態においては、背当て部６の損傷や摩耗により作業者の背中に固定用クリップ１０が当たった場合でも、不快感を与えることを低減すべく、第１リブ１４及び第２リブ１５の直交する交差部の高さを同じとしているが、第１リブ１４と第２リブ１５の高さを変えても、第１リブ１４及び第２リブ１５により平面視略十字が形成されるため、ねじ回し具無しで固定用クリップの取り外しはできる。
【００３９】
また、上記実施形態においては、第１リブ１４にねじ回し用の溝１６が設けられ、当該ねじ回し用の溝１６にねじ回し具を入れて回すことによっても、固定用クリップ１０を取り外すことができるようにしているが、ねじ回し用の溝１６はなくても良い。このねじ回し用の溝１６がなくても、平面視略十字を成すリブを備えているのには変わりがなく、ねじ回し具無しで固定用クリップを取り外すことができる。
【００４０】
また、上記実施形態においては、特に好ましいとして、薬剤（薬液）を噴霧するための背負式動力噴霧機に対する適用を述べているが、例えば、背負式動力散布機や背負式動力ブロワ等の背負式作業機に対しても適用可能であり、さらには、背負式作業機に限定されず、要は、雌ねじを備えた支持部材に取付部材を着脱可能に装着する際に用いられる固定用クリップであって、頭部フランジと、頭部フランジの下面から延出する軸部と、軸部の外周面に外方に突出し、上下方向に列を成すように形成された複数の雄ねじ状リブと、を具備し、複数の雄ねじ状リブが雌ねじに圧入されることにより弾性変形して雌ねじに係合し支持部材に固定状態とされる固定用クリップに対して適用できる。
【符号の説明】
【００４１】
１…背負い枠（支持部材）、２…液体タンク（支持部材）、６…背当て部（取付部材）、１０…固定用クリップ、１１…頭部フランジ、１２…軸部、１３…雄ねじ状リブ、１４…第１リブ、１５…第２リブ、１６…ねじ回し用の溝、２０…リブ。
【図１】
2019060438.tif 000003
【図２】
2019060438.tif 000004
【図３】
2019060438.tif 000005
【図４】
2019060438.tif 000006
【図５】
2019060438.tif 000007
【図６】
2019060438.tif 000008